(57)【特許請求の範囲】
【請求項１】
事業所フロア内へのユーザの入退場を管理する入退場管理装置と前記事業所フロア内に設置された各空調機器を操作する空調設備管理装置とがフロア環境最適化装置と接続されて構成されたフロア環境最適化システムであって、
前記フロア環境最適化装置が、
前記事業所フロア内にいるユーザの一覧を前記入退場管理装置から取得する情報収集部と、取得された前記ユーザの一覧を予め記憶されているユーザ配置データベースと照らし合わせて前記事業所フロアの中で人のいない区域があるか否かを判断するユーザ配置算出部と、前記人のいない区域がある場合に当該区域の空調機器を停止するよう前記空調設備管理装置に指令する空調機器制御部とを有し、
このフロア環境最適化装置に、前記事業所フロア内に設置された各コンピュータ装置を操作するネットワーク管理装置を併設すると共に、
使用およびログインしているユーザのいないコンピュータ装置があるか否かを判断してそのようなコンピュータ装置がある場合に当該コンピュータ装置を停止するよう前記ネットワーク管理装置に指令するコンピュータ機器制御部を設け、
前記ネットワーク管理装置が、前記使用およびログインしているユーザのいないコンピュータ装置を停止する前に、当該コンピュータ装置の操作画面にユーザに対して機器停止を通知する内容を表示させ、これに対してユーザから機器停止を拒否する入力がなかった場合に当該コンピュータ装置を停止させる機能を備えたことを特徴とするフロア環境最適化システム。
【請求項２】
前記フロア環境最適化装置に、前記事業所フロア内に設置された各照明機器を操作する照明管理装置を併設すると共に、
前記人のいない区域がある場合に当該区域の照明機器を停止するよう前記照明管理装置に指令する照明機器制御部を有することを特徴とする、請求項１に記載のフロア環境最適化システム。
【請求項３】
前記照明管理装置が、併設された明るさセンサによって前記各区域ごとの明るさを検出してこれを前記フロア環境最適化装置に報告する機能を備えると共に、
前記フロア環境最適化装置の前記照明機器制御部が、前記照明管理装置から通知された前記各区域ごとの明るさに応じて適正な明るさ設定値を決定してこれを前記照明管理装置に指令する機能を備えることを特徴とする、請求項２に記載のフロア環境最適化システム。
【請求項４】
事業所フロア内へのユーザの入退場を管理する入退場管理装置と前記事業所フロア内に設置された各空調機器を操作する空調設備管理装置とがフロア環境最適化装置と接続されて構成されたフロア環境最適化システムであって、
前記フロア環境最適化装置が、
前記事業所フロア内にいるユーザの一覧を前記入退場管理装置から取得する情報収集部と、取得された前記ユーザの一覧を予め記憶されているユーザ配置データベースと照らし合わせて前記事業所フロアの中で人のいない区域があるか否かを判断するユーザ配置算出部と、前記人のいない区域がある場合に当該区域の空調機器を停止するよう前記空調設備管理装置に指令する空調機器制御部とを有し、
このフロア環境最適化装置に、
前記事業所フロア内に設置された各コンピュータ装置を操作するネットワーク管理装置を併設すると共に、
使用およびログインしているユーザのいないコンピュータ装置があるか否かを判断してそのようなコンピュータ装置がある場合に当該コンピュータ装置を停止するよう前記ネットワーク管理装置に指令するコンピュータ機器制御部を設け、
前記フロア環境最適化装置が、
動作を継続している前記各コンピュータ装置について、予め記憶されている各コンピュータ装置の動作に伴う発熱量についての情報から、前記各区域ごとの温度上昇を算出する室温上昇算出部を備えると共に、
前記空調機器制御部が、算出された前記各区域ごとの温度上昇に応じて前記各区域ごとの温度設定値を決定してこれを前記空調設備管理装置に指令する機能を備えることを特徴としたフロア環境最適化システム。
【請求項５】
事業所フロア内へのユーザの入退場を管理する入退場管理装置と前記事業所フロア内に設置された各空調機器を操作する空調設備管理装置とがフロア環境最適化装置と接続されて構成されたフロア環境最適化システムにあって、
前記事業所フロア内にいるユーザの一覧を前記入退場管理装置から前記フロア環境最適化装置の情報収集部が取得し、
取得された前記ユーザの一覧を予め記憶されているユーザ配置データベースと照らし合わせ、前記事業所フロアの中で人のいない区域があるか否かを前記フロア環境最適化装置のユーザ配置算出部が判断し、
前記人のいない区域がある場合に当該区域の空調機器を停止するよう前記フロア環境最適化装置の空調機器制御部が指令し、
この指令に応じて前記空調設備管理装置が当該区域の空調機器を停止する
ことを特徴としたフロア環境最適化方法。
【請求項６】
事業所フロア内へのユーザの入退場を管理する入退場管理装置と前記事業所フロア内に設置された各空調機器を操作する空調設備管理装置とがフロア環境最適化装置と接続されて構成されたフロア環境最適化システムにあって、
前記フロア環境最適化装置が備えるコンピュータに、
前記事業所フロア内にいるユーザの一覧を前記入退場管理装置か取得する手順、
取得された前記ユーザの一覧を予め記憶されているユーザ配置データベースと照らし合わせ、前記事業所フロアの中で人のいない区域があるか否かを判断する手順、
および前記人のいない区域がある場合に当該区域の空調機器を停止するよう前記空調設備管理装置に指令する手順、
を実行させることを特徴とするフロア環境最適化プログラム。
【発明の詳細な説明】
【技術分野】
【０００１】
本発明はフロア環境最適化システム、最適化装置、最適化方法およびプログラムに関し、特にユーザの在不在を検出するための新たな手段を付加することなく消費電力量を抑制することを可能とするフロア環境最適化システム等に関する。
【背景技術】
【０００２】
オフィスビルにおける省エネルギーに対する社会的要求は常にある。特に近年は、西暦２０１１年３月１１日に発生したいわゆる東日本大震災と、これに伴って発生した東京電力株式会社福島第一原子力発電所の事故とによって、電力の供給量が大幅に制限される事態が生じている。これに伴い、特に空調機器の利用のピークとなる夏期や冬期で、オフィスビルにおいても消費電力量を抑制することが強く求められるようになっている。
【０００３】
その一方で、労働安全衛生法の規定による事務所衛生基準規則第５条第３項（非特許文献１記載）で「事業者は、空気調和設備を設けている場合は、室の気温が十七度以上二十八度以下及び相対湿度が四十パーセント以上七十パーセント以下になるように努めなければならない」と規定されている通り、オフィスビルにおける消費電力量の抑制は、事務所における作業環境の悪化を伴ってはならないものである。
【０００４】
即ち、単に空調機器を停止するだけ、あるいは設定温度を変更するだけで消費電力量の抑制を実現することは、望ましいことではない。照明機器、ＯＡ機器などについても、これと同じことがいえる。
【０００５】
必要になるのは、ユーザが実際に使用している機器にのみ電源を投入して必要最小限の消費電力で動作させ、使用していない機器の電源を切断して動作を停止させるということである。即ち、これによって、ユーザにとって良好な作業環境を保ちつつ、無駄な電力消費を可能な限り省くということである。以後、このことを本明細書では「フロア環境の最適化」という。
【０００６】
この「フロア環境の最適化」に関連して、次のような技術文献がある。その中でも特許文献１には、各ユーザの操作するコンピュータの動作状態から該ユーザの在不在を判定して、これに応じて空調機器や照明機器などの運転状態を制御するという設備機器制御システムについて記載されている。特許文献２には、センサによって検出した特定ゾーンの温度や湿度などから空調機器を制御するという空気調和システムについて記載されている。
【０００７】
特許文献３には、照明機器、空調機器、ＯＡ機器の使用の有無を検出して、当該各機器の使用を制御するという環境制御システムについて記載されている。特許文献４には、在席検知手段によって検出したユーザの在不在と、その他の検知手段で検出した室内環境とから、空調機器と照明機器とを制御する室内環境制御装置について記載されている。
【０００８】
非特許文献１には、前述の通り労働安全衛生法の規定による事務所衛生基準規則が記載されている。これはオフィスビルに限らず、全ての事業所が守るべき規則である。非特許文献２には、特にオフィスビルのエネルギー管理に対して発明者らが取り組んでいることについて記載されている。
【先行技術文献】
【特許文献】
【０００９】
【特許文献１】特開２０１１−２４４５８４号公報
【特許文献２】特開２０１０−２５５９００号公報
【特許文献３】特開２００４−３６０９２５号公報
【特許文献４】特開平１０−１４１７３５号公報
【非特許文献】
【００１０】
【非特許文献１】事務所衛生基準規則（昭和四十七年九月三十日労働省令第四十三号）、平成１６年３月３０日、総務省行政管理局、［平成２４年４月４日検索］、インターネット＜URL：http://law.e-gov.go.jp/htmldata/S47/S47F04101000043.html＞
【非特許文献２】「スマートビル」（「ＮＥＣのスマートエネルギーソリューション」より）、日本電気株式会社、［平成２４年４月４日検索］、インターネット＜URL：http://www.nec.co.jp/energy/building.html＞
【発明の概要】
【発明が解決しようとする課題】
【００１１】
オフィスビルにおいて、「フロア環境の最適化」による消費電力量の抑制は企業に対する社会的な要求事項として広く認識されているものであるということができ、前述の特許文献１〜４はいずれもそのための技術を開示するものである。
【００１２】
しかしながら、これら特許文献１〜４に記載の技術は、ユーザの在不在を検出するためにたとえば専用のセンサを設置したり（特許文献４）、温度センサを設置したり（特許文献２）、照明機器、空調機器、ＯＡ機器の動作状態を検出したり（特許文献１，３）といったことをするものである。即ち、いずれの技術も、ユーザの在不在を検出するための新たな手段を付加することが必要となるものである。
【００１３】
特にオフィスビルにおいては、業務上の必要性、特に機密情報を保護する必要性のため、ＩＤカードなどを利用した入退場管理システムを設けていることが多いにも関わらず、その入退場管理システムによる入退場管理が消費電力量の抑制に活用されていないのが実情である。このことを解決しうる技術は、特許文献１〜４および非特許文献１〜２のいずれにも記載されていない。
【００１４】
本発明の目的は、ユーザの在不在を検出するための新たな手段を付加することなく、フロア環境の最適化を実現することを可能とするフロア環境最適化システム、最適化装置、最適化方法およびプログラムを提供することにある。
【課題を解決するための手段】
【００１５】
上記目的を達成するため、本発明に係るフロア環境最適化システムは、事業所フロア内へのユーザの入退場を管理する入退場管理装置と事業所フロア内に設置された各空調機器を操作する空調設備管理装置とがフロア環境最適化装置と接続されて構成されたフロア環境最適化システムであって、フロア環境最適化装置が、事業所フロア内にいるユーザの一覧を入退場管理装置から取得する情報収集部と、取得されたユーザの一覧を予め記憶されているユーザ配置データベースと照らし合わせ、事業所フロアの中で人のいない区域があるか否かを判断するユーザ配置算出部と、人のいない区域がある場合に当該区域の空調機器を停止するよう空調設備管理装置に指令する空調機器制御部とを有することを特徴とする。
【００１６】
上記目的を達成するため、本発明に係るフロア環境最適化装置は、事業所フロア内へのユーザの入退場を管理する入退場管理装置および事業所フロア内に設置された各空調機器を操作する空調設備管理装置と接続されてフロア環境最適化システムを構成するフロア環境最適化装置であって、事業所フロア内にいるユーザの一覧を入退場管理装置から取得する情報収集部と、取得されたユーザの一覧を予め記憶されているユーザ配置データベースと照らし合わせ、事業所フロアの中で人のいない区域があるか否かを判断するユーザ配置算出部と、人のいない区域がある場合に当該区域の空調機器を停止するよう空調設備管理装置に指令する空調機器制御部とを有することを特徴とする。
【００１７】
上記目的を達成するため、本発明に係るフロア環境最適化方法は、事業所フロア内へのユーザの入退場を管理する入退場管理装置と事業所フロア内に設置された各空調機器を操作する空調設備管理装置とがフロア環境最適化装置と接続されて構成されたフロア環境最適化システムにあって、事業所フロア内にいるユーザの一覧を入退場管理装置からフロア環境最適化装置の情報収集部が取得し、取得されたユーザの一覧を予め記憶されているユーザ配置データベースと照らし合わせ、事業所フロアの中で人のいない区域があるか否かをフロア環境最適化装置のユーザ配置算出部が判断し、人のいない区域がある場合に当該区域の空調機器を停止するようフロア環境最適化装置の空調機器制御部が指令し、この指令に応じて空調設備管理装置が当該区域の空調機器を停止することを特徴とする。
【００１８】
上記目的を達成するため、本発明に係るフロア環境最適化プログラムは、事業所フロア内へのユーザの入退場を管理する入退場管理装置と事業所フロア内に設置された各空調機器を操作する空調設備管理装置とがフロア環境最適化装置と接続されて構成されたフロア環境最適化システムにあって、フロア環境最適化装置が備えるコンピュータに、事業所フロア内にいるユーザの一覧を入退場管理装置か取得する手順、取得されたユーザの一覧を予め記憶されているユーザ配置データベースと照らし合わせ、事業所フロアの中で人のいない区域があるか否かを判断する手順、および人のいない区域がある場合に当該区域の空調機器を停止するよう空調設備管理装置に指令する手順を実行させることを特徴とする。
【発明の効果】
【００１９】
本発明は、上記したように、入退場管理装置から事業所フロア内にいるユーザの一覧を取得するように構成したので、新たな装置や手段を追加しなくてもユーザの在不在を検出して、これに応じて空調機器や照明機器などの制御を行うことができる。これによって、フロア環境の最適化を容易に実現することが可能であるという、優れた特徴を持つフロア環境最適化システム、最適化装置、最適化方法およびプログラムを提供することができる。
【図面の簡単な説明】
【００２０】
【図１】本発明の実施形態に係るフロア環境最適化システムの構成に係る説明図である。
【図２】図１に示したフロア環境最適化システムが設置された事業所フロアの配置の一例について示す説明図である。
【図３】図２に示した事業所フロアへの空調機器の配置について示す説明図である。
【図４】図２に示した事業所フロアへの照明機器の配置について示す説明図である。
【図５】図１に示したフロア環境最適化装置の内部構成について示す説明図である。
【図６】図５に示したユーザ配置データベースの記憶内容の一例について示す説明図である。
【図７】図５に示した発熱量データベースの記憶内容の一例について示す説明図である。
【図８】図１および図５に示したフロア環境最適化装置の動作について示すフローチャートである。
【図９】図１に示したフロア環境最適化システム全体の動作の流れについて示すフローチャートである。
【発明を実施するための形態】
【００２１】
（実施形態）
以下、本発明の実施形態の構成について添付図１および５に基づいて説明する。
最初に、本実施形態の基本的な内容について説明し、その後でより具体的な内容について説明する。
本実施形態に係るフロア環境最適化システム１は、事業所フロア内へのユーザの入退場を管理する入退場管理装置１０と事業所フロア内に設置された各空調機器を操作する空調設備管理装置２０とがフロア環境最適化装置５０と接続されて構成されたフロア環境最適化システムである。フロア環境最適化装置５０は、事業所フロア内にいるユーザの一覧を入退場管理装置から取得する情報収集部１００と、取得されたユーザの一覧を予め記憶されているユーザ配置データベース１１１と照らし合わせ、事業所フロアの中で人のいない区域があるか否かを判断するユーザ配置算出部１０１と、人のいない区域がある場合に当該区域の空調機器を停止するよう空調設備管理装置に指令する空調機器制御部１０３とを有する。
【００２２】
また、フロア環境最適化装置５０に、事業所フロア内に設置された各照明機器を操作する照明管理装置３０が併設され、それと共にフロア環境最適化装置５０は、人のいない区域がある場合に当該区域の照明機器を停止するよう照明管理装置に指令する照明機器制御部１０４を有する。ここで、照明管理装置３０が、併設された明るさセンサ３２ａ〜ｃによって各区域ごとの明るさを検出してこれをフロア環境最適化装置に報告する機能を備え、照明機器制御部１０４は、照明管理装置から通知された各区域ごとの明るさに応じて適正な明るさ設定値を決定してこれを照明管理装置３０に指令する機能を備える。
【００２３】
その一方で、フロア環境最適化装置５０に、事業所フロア内に設置された各コンピュータ装置（クライアントコンピュータ４１ａ〜ｉおよびサーバコンピュータ４２）を操作するネットワーク管理装置４０も併設され、それと共にフロア環境最適化装置５０は、使用およびログインしているユーザのいないコンピュータ装置があるか否かを判断し、そのようなコンピュータ装置がある場合に当該コンピュータ装置を停止するようネットワーク管理装置に指令するコンピュータ機器制御部１０５を有する。ここでネットワーク管理装置４０は、使用およびログインしているユーザのいないコンピュータ装置を停止する前に、当該コンピュータ装置の操作画面にユーザに対して機器停止を通知する内容を表示させ、これに対してユーザから機器停止を拒否する入力がなかった場合に当該コンピュータ装置を停止させる機能を備える。
【００２４】
そしてフロア環境最適化装置５０は、動作を継続している各コンピュータ装置について、予め記憶されている各コンピュータ装置の動作に伴う発熱量についての情報から、各区域ごとの温度上昇を算出する室温上昇算出部１０２を備え、空調機器制御部１０３は、算出された各区域ごとの温度上昇に応じて各区域ごとの温度設定値を決定してこれを空調設備管理装置２０に指令する。
【００２５】
以上の構成を備えることにより、フロア環境最適化システム１は、ユーザの在不在を検出するための新たな手段を付加することなく、フロア環境の最適化を実現することが可能となる。
以下、これをより詳細に説明する。
【００２６】
図１は、本発明の実施形態に係るフロア環境最適化システム１の構成に係る説明図である。フロア環境最適化システム１は、事業所に設置されている既存のコンピュータ装置である入退場管理装置１０、空調設備管理装置２０、照明管理装置３０、ネットワーク管理装置４０の各々に、フロア環境最適化装置５０が接続されることによって構成される。
【００２７】
入退場管理装置１０は、備えられた演算手段で入退場制御プログラムが動作することによって機能する入退場制御部によって、事業所フロア内へのユーザの入退場を、出入り口に設置されたＩＤカード読み取り器によって各ユーザのＩＤカードを読み取り、ＩＤカードから読み取ったＩＤを予め記憶された認証ＩＤデータベースと比較し、入退場したユーザに係るデータを入退場記録データベースに記録する。これによって、室内にいるユーザの人数とメンバーについて把握する。
【００２８】
空調設備管理装置２０は、備えられた演算手段で空調設備管理プログラムが動作することによって機能する空調設備管理部によって、室内に設置された空調機器を操作し、また現在の室内の温度および湿度を温度・湿度データベースに記録する。これによって、各室内の温度および湿度を調節する。
【００２９】
照明管理装置３０は、備えられた演算手段で照明管理プログラムが動作することによって機能する照明管理部によって、室内に設置された照明機器の点灯、消灯、および調光を実行する。
【００３０】
ネットワーク管理装置４０は、備えられた演算手段でネットワーク管理プログラムが動作することによって機能するネットワーク管理部によって、室内に設置されたサーバコンピュータ、および各ユーザが操作するクライアントコンピュータの動作状況（電源の投入状況、ログインユーザ名など）を把握し、また各ユーザのログイン状況をログイン状況データベースに記録する。これによって、各コンピュータの電源のオンオフ、節電モードへの移行、あるいは各ユーザのログイン状況などについて管理する。
【００３１】
前述の通り、入退場管理装置１０、空調設備管理装置２０、照明管理装置３０、およびネットワーク管理装置４０はいずれも「既存のコンピュータ装置」であるので、それら各々の詳細な構成について言及することは、本実施形態を説明する上では特に必要ではない。フロア環境最適化装置５０の構成については後述する。
【００３２】
図２は、図１に示したフロア環境最適化システム１が設置された事業所フロア２の配置の一例について示す説明図である。事業所フロア２の出入り口には、入退場管理装置１０による管理対象となるゲート１１とＩＤカード読み取り器１１ａが設置されており、事業所フロア２に出入りするユーザは全員ＩＤカード読み取り器１１ａに自らのＩＤカードを読み取らせてゲート１１を通るよう決められている。
【００３３】
事業所フロア２には複数の部屋２ａ，２ｂ，…がある。図２では紙面の都合で２ａ〜ｃの３室を示しているが、室数には特に制限は無い。各々の部屋には、各ユーザの座席１２ａ〜ｉが配置されている。各ユーザの人数（座席の数）にも、特に制限は無い。そして、各座席１２ａ〜ｉのそれぞれに、対応するクライアントコンピュータ４１ａ〜ｉが配置されている。さらに各クライアントコンピュータ４１ａ〜ｉがログインして使用するためのサーバコンピュータ４２も配置されている。クライアントコンピュータ４１ａ〜ｉおよびサーバコンピュータ４２の台数にも、特に制限は無い。
【００３４】
図３は、図２に示した事業所フロア２への空調機器の配置について示す説明図である。さらに図４は、図２に示した事業所フロア２への照明機器の配置について示す説明図である。各部屋２ａ〜ｃのそれぞれに、空調機器２１ａ〜ｃと温度センサ２２ａ〜ｃ、照明機器３１ａ〜ｃと明るさセンサ３２ａ〜ｃが設置されている。これらの中で、部屋２ａに設置されているものを各々空調機器２１ａ、温度センサ２２ａ、照明機器３１ａ、明るさセンサ３２ａという。部屋２ｂ〜ｃについても同様である。
【００３５】
本実施形態では、説明を平易なものとするために、照明と空調機器を各部屋ごとの管理としたが、１部屋を複数の区域に分けて各区域ごとに照明と空調機器を管理する構成にすることも、もちろん可能である。また逆に、消費電力量の抑制のためにはあまり望ましいことではないが、複数の部屋を１区域として空調機器および照明機器の動作を管理するようにしてもよい。
【００３６】
そして、ゲート１１とＩＤカード読み取り器１１ａが入退場管理装置１０に接続されて管理され、空調機器２１ａ〜ｃと温度センサ２２ａ〜ｃが空調設備管理装置２０に接続されて管理される。照明機器３１ａ〜ｃと明るさセンサ３２ａ〜ｃが照明管理装置３０に接続されて管理され、クライアントコンピュータ４１ａ〜ｉおよびサーバコンピュータ４２がネットワーク管理装置４０に接続されて管理される。
【００３７】
さらに図１に示したように、入退場管理装置１０、空調設備管理装置２０、照明管理装置３０、およびネットワーク管理装置４０に、フロア環境最適化装置５０が接続されて管理される。これら各装置を接続するネットワークは、クライアントコンピュータ４１ａ〜ｉおよびサーバコンピュータ４２が接続されているネットワークと同一であってもよいし、またこれとは別のフロア環境管理用ネットワークを構築してもよい。また具体的なプロトコルも、たとえばＴＣＰ／ＩＰなどのようなＬＡＮ（ローカルエリアネットワーク）において一般的なプロトコルなど、任意のものでよい。
【００３８】
入退場管理装置１０は、各ユーザの入退場状況をフロア環境最適化装置５０に報告する。空調設備管理装置２０は、各空調機器２１ａ〜ｃの動作の有無と、温度センサ２２ａ〜ｃによって検出された各部屋の室温をフロア環境最適化装置５０に報告する。照明管理装置３０は、各照明機器３１ａ〜ｃの動作の有無と、明るさセンサ３２ａ〜ｃによって検出された各部屋の明るさをフロア環境最適化装置５０に報告する。
【００３９】
ネットワーク管理装置４０は、クライアントコンピュータ４１ａ〜ｉおよびサーバコンピュータ４２への各ユーザのログインの有無、およびクライアントコンピュータ４１ａ〜ｉおよびサーバコンピュータ４２の動作の有無をフロア環境最適化装置５０に報告する。
【００４０】
これらの報告は、各装置が特定の周期ごとに定期的に行うようにしてもよいし、各装置の把握している状況に変化があった時に随時報告するようにしてもよい。また、フロア環境最適化装置５０の側からの照会に応じて報告するようにしてもよい。以後、フロア環境最適化装置５０の側から各装置に対して状況を照会し、各装置がこれに反応して報告を返すものとして本実施形態を説明する。
【００４１】
図５は、図１に示したフロア環境最適化装置５０の内部構成について示す説明図である。フロア環境最適化装置５０は、コンピュータ装置としての基本的な構成を備える。即ち、コンピュータプログラムを実行する主体であるプロセッサ５１と、データを記憶する記憶手段５２と、他のコンピュータとの間のデータ通信を行う通信手段５３とを備える。
【００４２】
プロセッサ５１は、フロア環境最適化制御プログラムが動作することにより、後述する情報収集部１００、ユーザ配置算出部１０１、室温上昇算出部１０２、空調機器制御部１０３、照明機器制御部１０４、およびコンピュータ機器制御部１０５の各々として動作する。また、記憶手段５２には、後述するユーザ配置データベース１１１、および発熱量データベース１１２が予め記憶されている。
【００４３】
図６は、図５に示したユーザ配置データベース１１１の記憶内容の一例について示す説明図である。ユーザ配置データベース１１１には、部屋番号１１１ａ（図２〜４に示した部屋２ａ〜ｃ）と、各部屋番号１１１ａに配置されている各ユーザ１１１ｂ（座席１２ａ〜ｉ）、空調機器１１１ｃ（２１ａ〜ｃ）、照明機器１１１ｄ（３１ａ〜ｃ）、コンピュータ装置１１１ｅ（クライアントコンピュータ４１ａ〜ｉ、サーバコンピュータ４２）が記憶されている。
【００４４】
図７は、図５に示した発熱量データベース１１２の記憶内容の一例について示す説明図である。発熱量データベース１１２には、コンピュータ装置１１２ａ（クライアントコンピュータ４１ａ〜ｉ、サーバコンピュータ４２）ごとの発熱量１１２ｂの値が予め記憶されている。
【００４５】
情報収集部１００は、入退場管理装置１０、空調設備管理装置２０、照明管理装置３０、およびネットワーク管理装置４０に対して、各々の装置が把握している状況を照会し、各装置がこれに反応して返してきた報告を受信する。
【００４６】
ユーザ配置算出部１０１は、入退場管理装置１０によって把握された各ユーザの入退場状況をユーザ配置データベース１１１と照らし合わせて、部屋２ａ〜ｃごとに各ユーザの在不在を把握し、部屋２ａ〜ｃの中でユーザのいない部屋があるか否かについて判断し、その判断結果を室温上昇算出部１０２、空調機器制御部１０３、照明機器制御部１０４、およびコンピュータ機器制御部１０５の各々に伝える。
【００４７】
室温上昇算出部１０２は、ユーザ配置算出部１０１が把握した各ユーザの在不在と、ネットワーク管理装置４０によって把握された各クライアントコンピュータ４１ａ〜ｉおよびサーバコンピュータ４２の中で動作しているコンピュータの、各部屋ごとの合計発熱量を発熱量データベース１１２に予め記憶されている内容から算出し、そこから各部屋２ａ〜ｃの温度上昇を算出する。
【００４８】
空調機器制御部１０３は、ユーザ配置算出部１０１が判定した部屋２ａ〜ｃの中での「ユーザのいない部屋」について、その部屋に設置されている空調機器２１ａ〜ｃを停止するよう空調設備管理装置２０に指示する。また、空調設備管理装置２０から報告された各部屋２ａ〜ｃの現在の室温と、室温上昇算出部１０２が算出した各部屋２ａ〜ｃの温度上昇に基づいて、空調機器２１ａ〜ｃの中で動作を継続するものについて適正な温度設定値を決定し、これも空調設備管理装置２０に指示する。
【００４９】
照明機器制御部１０４は、ユーザ配置算出部１０１が判定した部屋２ａ〜ｃの中での「ユーザのいない部屋」について、その部屋に設置されている照明機器３１ａ〜ｃを停止するよう照明管理装置３０に指示する。また、照明管理装置３０から報告された各部屋の明るさに基づいて、照明機器３１ａ〜ｃの中で動作を継続するものについて適正な明るさ設定値を決定し、これも照明管理装置３０に指示する。
【００５０】
コンピュータ機器制御部１０５は、ユーザ配置算出部１０１が把握した各ユーザの在不在と、ネットワーク管理装置４０が把握した各コンピュータ装置および各ユーザの情報から、使用およびログインしているユーザのいないコンピュータ装置があるか否かについて判断し、そのようなコンピュータ装置があればその動作を停止するようネットワーク管理装置４０に指示する。
【００５１】
ここで、コンピュータ機器制御部１０５が「使用およびログインしているユーザのいないコンピュータ装置」を判断するにあたっては、入退場管理装置１０によって把握された各ユーザの入退場状況をユーザ配置データベース１１１と照合して、「入場していないユーザ」の座席１２ａ〜ｉに配置されたクライアントコンピュータ４１ａ〜ｉを「使用およびログインしているユーザのいないコンピュータ装置」とすることもできる。あるいは、ネットワーク管理装置４０によって把握された、クライアントコンピュータ４１ａ〜ｉおよびサーバコンピュータ４２の各ユーザのログインの有無から判断することもできる。もちろん、その両方を併用してもよい。
【００５２】
図８は、図１および図５に示したフロア環境最適化装置５０の動作について示すフローチャートである。また図９は、図１に示したフロア環境最適化システム１全体の動作の流れについて示すフローチャートである。
【００５３】
フロア環境最適化装置５０は、予め設定された所定の周期が経過したら（図８・ステップＳ２０１）、情報収集部１００が入退場管理装置１０、空調設備管理装置２０、照明管理装置３０、およびネットワーク管理装置４０の各装置に対して現在の状態を照会する（図８・ステップＳ２０２、図９・ステップＳ３０１）。
【００５４】
この照会を受けて、入退場管理装置１０が事業所フロア２内にいるユーザの一覧をフロア環境最適化装置５０に送信する（図９・ステップＳ３０２）。空調設備管理装置２０が、各空調機器２１ａ〜ｃの動作の有無と、温度センサ２２ａ〜ｃによって検出された各部屋の室温をフロア環境最適化装置５０に送信する（図９・ステップＳ３０３）。照明管理装置３０が、各照明機器３１ａ〜ｃの動作の有無と、明るさセンサ３２ａ〜ｃによって検出された各部屋の明るさをフロア環境最適化装置５０に送信する（図９・ステップＳ３０４）。そして、ネットワーク管理装置４０が、クライアントコンピュータ４１ａ〜ｉおよびサーバコンピュータ４２への各ユーザのログインの有無、およびクライアントコンピュータ４１ａ〜ｉおよびサーバコンピュータ４２の動作の有無をフロア環境最適化装置５０に送信する（図９・ステップＳ３０５）。
【００５５】
以上の各々の情報を、情報収集部１００が受信する（図８・ステップＳ２０３、図９・ステップＳ３０６）。受信したこれらの情報から、まず入退場管理装置１０から受信した事業所フロア２内にいるユーザの一覧をユーザ配置算出部１０１がユーザ配置データベース１１１と照らし合わせて、部屋２ａ〜ｃごとに各ユーザの在不在を把握し、部屋２ａ〜ｃの中でユーザのいない部屋があるか否かについて判断する（図８・ステップＳ２０４、図９・ステップＳ３０７）。
【００５６】
ユーザのいない部屋があれば、そのような部屋が存在する旨の情報を、ユーザ配置算出部１０１が空調機器制御部１０３、照明機器制御部１０４、およびコンピュータ機器制御部１０５に渡す（図８・ステップＳ２０５、図９・ステップＳ３０８）。ユーザのいない部屋がなければ、後述のステップＳ２０９に処理が進む。
【００５７】
この情報を受けて、まず空調機器制御部１０３が空調設備管理装置２０に対してその部屋に設置されている空調機器２１ａ〜ｃを停止するよう指示する（図８・ステップＳ２０６）。指示を受けた空調設備管理装置２０は、該当する空調機器２１ａ〜ｃを停止する（図９・ステップＳ３０９）。続いて照明機器制御部１０４が照明管理装置３０に対してその部屋に設置されている照明機器３１ａ〜ｃを停止するよう指示する（図８・ステップＳ２０７）。指示を受けた照明管理装置３０は、該当する照明機器３１ａ〜ｃを停止する（図９・ステップＳ３１０）。
【００５８】
そしてコンピュータ機器制御部１０５が、各ユーザの在不在と、各コンピュータ装置および各ユーザの情報から、使用およびログインしているユーザのいないコンピュータ装置があるか否かについて判断し、そのようなコンピュータ装置があればその動作を停止するようネットワーク管理装置４０に指示する（図８・ステップＳ２０８）。そのようなコンピュータ装置がなければ、後述のステップＳ２０９に処理が進む。
【００５９】
指示を受けたネットワーク管理装置４０は、該当するコンピュータ装置を停止する（図９・ステップＳ３１１）。その際、該当する各クライアントコンピュータ４１ａ〜ｉについては、まず「この装置は○分後に停止します。よろしいでしょうか？（イエス／ノー）」とのダイアグラムを当該クライアントコンピュータの操作画面に表示させ、その時間内にユーザから「ノー」の入力があった場合にはその装置を停止せずに動作を継続させ、それ以外の場合に停止するようにすることもできる。
【００６０】
以上の停止処理の後、今度は室温上昇算出部１０２が、ユーザ配置算出部１０１が把握した各ユーザの在不在と、ネットワーク管理装置４０によって把握された各クライアントコンピュータ４１ａ〜ｉおよびサーバコンピュータ４２の動作状況から、各コンピュータ装置の動作熱によって発生しうる各部屋２ａ〜ｃの温度上昇を算出し、空調機器制御部１０３に伝達する（図８・ステップＳ２０９、図９・ステップＳ３１２）。
【００６１】
空調機器制御部１０３はこれを受けて、空調設備管理装置２０から報告された各部屋２ａ〜ｃの現在の室温と算出された温度上昇とから、空調機器２１ａ〜ｃの中で動作を継続するものについて適正な温度設定値を決定し、空調設備管理装置２０に指示する（図８・ステップＳ２１０、図９・ステップＳ３１３）。指示を受けた空調設備管理装置２０は、その適正な温度設定値を各空調機器２１ａ〜ｃに対して設定する（図９・ステップＳ３１４）。
【００６２】
引き続いて、今度は照明機器制御部１０４が、照明管理装置３０から報告された各部屋の明るさに基づいて、照明機器３１ａ〜ｃの中で動作を継続するものについて適正な明るさ設定値を決定し、照明管理装置３０に指示する（図８・ステップＳ２１１、図９・ステップＳ３１５）。指示を受けた照明管理装置３０は、その適正な明るさ設定値を各照明機器３１ａ〜ｃに対して設定する（図９・ステップＳ３１６）。
【００６３】
以上の動作が終了したら、フロア環境最適化装置５０は図８・ステップＳ２０１の状態に戻り、次の周期の経過を待ってステップＳ２０２以降の動作を繰り返す。
【００６４】
（実施形態の全体的な動作）
次に、上記の実施形態の全体的な動作について説明する。
本実施形態に係るフロア環境最適化方法は、事業所フロア内へのユーザの入退場を管理する入退場管理装置１０と事業所フロア内に設置された各空調機器を操作する空調設備管理装置２０とがフロア環境最適化装置５０と接続されて構成され、オフィスビルにおける消費電力量を抑制するフロア環境最適化システム１にあって、事業所フロア内にいるユーザの一覧を入退場管理装置からフロア環境最適化装置の情報収集部が取得し（図８・ステップＳ２０２〜３、図９・ステップＳ３０１〜６）、取得されたユーザの一覧を予め記憶されているユーザ配置データベースと照らし合わせ、事業所フロアの中で人のいない区域があるか否かをフロア環境最適化装置のユーザ配置算出部が判断し（図８・ステップＳ２０４、図９・ステップＳ３０７）、人のいない区域がある場合に当該区域の空調機器を停止するようフロア環境最適化装置の空調機器制御部が指令し（図８・ステップＳ２０６、図９・ステップＳ３０８）、この指令に応じて空調設備管理装置が当該区域の空調機器を停止する（図９・ステップＳ３０９）。
【００６５】
ここで、上記各動作ステップについては、これをコンピュータで実行可能にプログラム化し、これらを前記各ステップを直接実行するフロア環境最適化装置５０のプロセッサ５１に実行させるようにしてもよい。本プログラムは、非一時的な記録媒体、例えば、ＤＶＤ、ＣＤ、フラッシュメモリ等に記録されてもよい。その場合、本プログラムは、記録媒体からコンピュータによって読み出され、実行される。
この動作により、本実施形態は以下のような効果を奏する。
【００６６】
本実施形態によれば、ユーザにとって良好な作業環境を保ちつつ、ユーザの在不在に応じて無駄な電力消費を可能な限り省くことが可能となる。その際、ユーザの在不在を取得するために利用されるのは、多くのオフィスビルに予め備えられている入退場管理装置１０の管理する情報である。従って、ユーザの在不在を検出するための新たな手段を付加する必要はない。
【００６７】
ただ、フロア環境最適化装置５０として機能するコンピュータを付加するだけで、本実施形態は実施可能となる。このコンピュータは新たに設けられた単独のコンピュータ装置である必要もなく、たとえば既に動作している入退場管理装置１０、空調設備管理装置２０、照明管理装置３０、ネットワーク管理装置４０のうちの１台がフロア環境最適化装置５０としての機能を兼ね備えるようにしてもよい。
【００６８】
（実施形態の拡張）
以上説明した実施形態には、その趣旨を改変しない範囲でさまざまな拡張が考えられる。以下、これについて説明する。
業務においてはいろんな状況が考えられる。たとえば「会議」の場合には、事業所フロア内に入場しているユーザの中でその会議に出席する者が、全員自席を外して特定の会議室に集まる。その際に利用するのはノートブック型やタブレット型などの可搬式コンピュータであるので、自席に配置されているクライアントコンピュータは使用しないし、自席のある部屋の照明機器や空調機器も使用しないということになる。
【００６９】
そのような場合に対応するために、フロア環境最適化システムを会議室予約管理装置と連携させて、フロア環境最適化装置は当該会議の会場と出席メンバーを会議室予約管理装置から取得し、その情報を照明機器や空調機器などの動作の判断に利用することもできる。より具体的には、会議出席中のユーザは自席にいないので、このことを各室ごとにユーザがいるかいないかの判断材料とすればよい。そのかわり、会議中は会議室の照明や空調を利用するので、これについては前述の実施形態に準ずる動作でよい。
【００７０】
また、各ユーザの作業予定を管理するスケジュール管理装置が稼働している場合は、このスケジュール管理装置から各ユーザの作業スケジュールを取得し、これに応じて照明機器、空調機器、クライアントコンピュータなどの動作の要不要について判断するという構成にすることもできる。
【００７１】
あるいは、日付や時間などに応じて各装置の動作基準を変更するようにもできる。たとえば通常業務時間外においては（残業や休日出勤など）、たとえば特定の照明機器や空調機器などを動作させない、あるいは電力消費量や室温などを特定の値以下に制限するようにするなど、各装置の動作をより厳しく制限することもできる。
【００７２】
さらに、各室の方角、各室の窓の配置およびカーテンの有無、窓の内側の温度（専用センサを配置）、風向および風力、窓の開閉（これも専用センサを配置）などから、外部の気象情報提供サービスとも連携して、太陽光や風による影響を判断材料とすることもできる。他にも、温度や湿度などに影響しうる内容を、適宜判断材料としてもよい。
【００７３】
また、各席に設置された個人用コンセントを各クライアントコンピュータの動作と連動させて、そのクライアントコンピュータを停止すると同時に、その席の個人用コンセントへの電力供給も停止して、そのユーザが使用する機器の待機電力の使用を止めるように構成することもできる。
【００７４】
これまで本発明について図面に示した特定の実施形態をもって説明してきたが、本発明は図面に示した実施形態に限定されるものではなく、本発明の効果を奏する限り、これまで知られたいかなる構成であっても採用することができる。
【００７５】
上述した実施形態について、その新規な技術内容の要点をまとめると、以下のようになる。なお、上記実施形態の一部または全部は、新規な技術として以下のようにまとめられるが、本発明は必ずしもこれに限定されるものではない。
【００７６】
（付記１）  事業所フロア内へのユーザの入退場を管理する入退場管理装置と前記事業所フロア内に設置された各空調機器を操作する空調設備管理装置とがフロア環境最適化装置と接続されて構成されたフロア環境最適化システムであって、
前記フロア環境最適化装置が、
前記事業所フロア内にいるユーザの一覧を前記入退場管理装置から取得する情報収集部と、
取得された前記ユーザの一覧を予め記憶されているユーザ配置データベースと照らし合わせ、前記事業所フロアの中で人のいない区域があるか否かを判断するユーザ配置算出部と、
前記人のいない区域がある場合に当該区域の空調機器を停止するよう前記空調設備管理装置に指令する空調機器制御部と
を有することを特徴とするフロア環境最適化システム。
【００７７】
（付記２）  前記フロア環境最適化装置に、前記事業所フロア内に設置された各照明機器を操作する照明管理装置を併設すると共に、
前記人のいない区域がある場合に当該区域の照明機器を停止するよう前記照明管理装置に指令する照明機器制御部
を有することを特徴とする、付記１に記載のフロア環境最適化システム。
【００７８】
（付記３）  前記照明管理装置が、併設された明るさセンサによって前記各区域ごとの明るさを検出してこれを前記フロア環境最適化装置に報告する機能を備えると共に、
前記フロア環境最適化装置の前記照明機器制御部が、前記照明管理装置から通知された前記各区域ごとの明るさに応じて適正な明るさ設定値を決定してこれを前記照明管理装置に指令する機能を備えることを特徴とする、付記２に記載のフロア環境最適化システム。
【００７９】
（付記４）  前記フロア環境最適化装置に、前記事業所フロア内に設置された各コンピュータ装置を操作するネットワーク管理装置を併設すると共に、
使用およびログインしているユーザのいないコンピュータ装置があるか否かを判断し、そのようなコンピュータ装置がある場合に当該コンピュータ装置を停止するよう前記ネットワーク管理装置に指令するコンピュータ機器制御部
を有することを特徴とする、付記１に記載のフロア環境最適化システム。
【００８０】
（付記５）  前記ネットワーク管理装置が、前記使用およびログインしているユーザのいないコンピュータ装置を停止する前に、当該コンピュータ装置の操作画面にユーザに対して機器停止を通知する内容を表示させ、これに対してユーザから機器停止を拒否する入力がなかった場合に当該コンピュータ装置を停止させる機能を備えることを特徴とする、付記４に記載のフロア環境最適化システム。
【００８１】
（付記６）  前記フロア環境最適化装置が、
動作を継続している前記各コンピュータ装置について、予め記憶されている各コンピュータ装置の動作に伴う発熱量についての情報から、前記各区域ごとの温度上昇を算出する室温上昇算出部を備えると共に、
前記空調機器制御部が、算出された前記各区域ごとの温度上昇に応じて前記各区域ごとの温度設定値を決定してこれを前記空調設備管理装置に指令する機能を備えることを特徴とする、付記４に記載のフロア環境最適化システム。
【００８２】
（付記７）  事業所フロア内へのユーザの入退場を管理する入退場管理装置および前記事業所フロア内に設置された各空調機器を操作する空調設備管理装置と接続されてフロア環境最適化システムを構成するフロア環境最適化装置であって、
前記事業所フロア内にいるユーザの一覧を前記入退場管理装置から取得する情報収集部と、
取得された前記ユーザの一覧を予め記憶されているユーザ配置データベースと照らし合わせ、前記事業所フロアの中で人のいない区域があるか否かを判断するユーザ配置算出部と、
前記人のいない区域がある場合に当該区域の空調機器を停止するよう前記空調設備管理装置に指令する空調機器制御部と
を有することを特徴とするフロア環境最適化装置。
【００８３】
（付記８）  事業所フロア内へのユーザの入退場を管理する入退場管理装置と前記事業所フロア内に設置された各空調機器を操作する空調設備管理装置とがフロア環境最適化装置と接続されて構成されたフロア環境最適化システムにあって、
前記事業所フロア内にいるユーザの一覧を前記入退場管理装置から前記フロア環境最適化装置の情報収集部が取得し、
取得された前記ユーザの一覧を予め記憶されているユーザ配置データベースと照らし合わせ、前記事業所フロアの中で人のいない区域があるか否かを前記フロア環境最適化装置のユーザ配置算出部が判断し、
前記人のいない区域がある場合に当該区域の空調機器を停止するよう前記フロア環境最適化装置の空調機器制御部が指令し、
この指令に応じて前記空調設備管理装置が当該区域の空調機器を停止する
ことを特徴とするフロア環境最適化方法。
【００８４】
（付記９）  事業所フロア内へのユーザの入退場を管理する入退場管理装置と前記事業所フロア内に設置された各空調機器を操作する空調設備管理装置とがフロア環境最適化装置と接続されて構成されたフロア環境最適化システムにあって、
前記フロア環境最適化装置が備えるコンピュータに、
前記事業所フロア内にいるユーザの一覧を前記入退場管理装置か取得する手順、
取得された前記ユーザの一覧を予め記憶されているユーザ配置データベースと照らし合わせ、前記事業所フロアの中で人のいない区域があるか否かを判断する手順、
および前記人のいない区域がある場合に当該区域の空調機器を停止するよう前記空調設備管理装置に指令する手順
を実行させることを特徴とするフロア環境最適化プログラム。
【産業上の利用可能性】
【００８５】
本発明は、事業所における消費電力量を抑制する目的に対して、幅広く適用することができる。
【符号の説明】
【００８６】
１  フロア環境最適化システム
２  事業所フロア
２ａ，２ｂ，２ｃ  部屋
１０  入退場管理装置
１１  ゲート
１１ａ  ＩＤカード読み取り器
１２ａ，１２ｂ，１２ｉ  座席
２０  空調設備管理装置
２１ａ，２１ｂ，２１ｃ  空調機器
２２ａ，２２ｂ，２２ｃ  温度センサ
３０  照明管理装置
３１ａ，３１ｂ，３１ｃ  照明機器
３２ａ，３２ｂ，３２ｃ  明るさセンサ
４０  ネットワーク管理装置
４１ａ，４１ｂ，４１ｉ  クライアントコンピュータ
４２  サーバコンピュータ
５０  フロア環境最適化装置
５１  プロセッサ
５２  記憶手段
５３  通信手段
１００  情報収集部
１０１  ユーザ配置算出部
１０２  室温上昇算出部
１０３  空調機器制御部
１０４  照明機器制御部
１０５  コンピュータ機器制御部
１１１  ユーザ配置データベース
１１２  発熱量データベース
【図１】
0005998598.tif 000002
【図２】
0005998598.tif 000003
【図３】
0005998598.tif 000004
【図４】
0005998598.tif 000005
【図５】
0005998598.tif 000006
【図６】
0005998598.tif 000007
【図７】
0005998598.tif 000008
【図８】
0005998598.tif 000009
【図９】
0005998598.tif 000010